(57)【要約】【課題】プレゼントを贈りたい記念日に、予算内でカテゴリーに合致したプレゼントを贈ることを可能とし、贈られる側が選択するプレゼントの可否を贈る側が決定することを可能にする。【解決手段】電子商取引を行うサーバ装置が第１のクライアントに対して日付情報と第２のクライアントを唯一に特定する情報と前記日付情報に関連した選択項目の入力を促し、入力された前記日付情報より前の適切な日時に前記第１のクライアント装置に対し前記日付の到来予告と、前記日付情報に関連した選択項目の内容を通知する。そして、前記第１のクライアント装置が選択した選択項目にしたがって第２のクライアント装置に対し前記選択項目の通知を行い、前記第２のクライアント装置が選択した選択項目を前記第１のクライアント装置に通知して前記第１のクライアント装置が前記選択項目の可否を決定できるように構成する。【選択図】図１
2005158028.tif 000002
【特許請求の範囲】
【請求項１】
利用者が使用する、ネットワークを介してサーバシステムと通信可能な第１および第２のクライアント装置と、
第１のクライアント装置から、利用者の所望する日付情報、第２のクライアント装置の利用者を唯一に特定する情報、および前記日付情報に関連した選択項目の情報を入力して記憶する入力手段と、入力された前記日付情報より前の所定の予告日時に前記第１のクライアント装置に対して前記日付の到来予告と、前記日付情報に関連した選択項目の内容を通知する予告手段と、前記予告に基づいて前記第１のクライアント装置から送信された選択項目にしたがって、第２のクライアント装置に対して前記選択項目に基づくプレゼント候補に関する通知を行う通知手段と、前記第２のクライアント装置から送信された選択されたプレゼントの情報を前記第１のクライアント装置に通知し、前記第１のクライアント装置が前記第２のクライアント装置が選択したプレゼントの可否を決定する可否決定手段とを有する、ネットワークを介して前記第１および第２のクライアント装置と通信可能なサーバシステムと
を含むことを特徴とするプレゼント贈答システム。
【請求項２】
利用者が使用する第１および第２のクライアント装置とネットワークを介して通信可能なサーバシステムであって、
第１のクライアント装置から、利用者の所望する日付情報、第２のクライアント装置の利用者を唯一に特定する情報、および前記日付情報に関連した選択項目の情報を入力して記憶する入力手段と、
前記日付情報より前の所定の予告日時に前記第１のクライアント装置に対して前記日付の到来予告と、前記日付情報に関連した選択項目の内容を通知する予告手段と、
前記予告に基づいて前記第１のクライアント装置から送信された選択項目にしたがって、第２のクライアント装置に対して前記選択項目に基づくプレゼント候補に関する通知を行う通知手段と、
前記第２のクライアント装置から送信された選択されたプレゼントの情報を前記第１のクライアント装置に通知し、前記第１のクライアント装置が前記第２のクライアント装置が選択したプレゼントの可否を決定する可否決定手段と
を有することを特徴とするプレゼント贈答サーバシステム。
【請求項３】
前記日付情報は、プレゼントを贈る相手の記念日であり、前記日付情報に関連した選択項目は、プレゼントする商品あるいはサービスの予算額、プレゼントのカテゴリーであることを特徴とする請求項２に記載のプレゼント贈答サーバシステム。
【請求項４】
前記第２のクライアント装置の利用者を唯一に特定する情報は電子メールアドレスであることを特徴とする請求項２または３のいずれかに記載のプレゼント贈答サーバシステム。
【請求項５】
前記第２のクライアント装置の利用者を唯一に特定する情報はプレゼント贈答システム内の会員として唯一のアカウント名であり、前記アカウント名で電子的にメッセージの送受信が可能であることを特徴とする請求項２または３のいずれかに記載のプレゼント贈答サーバシステム。
【請求項６】
前記予算額内であれば複数のプレゼントを選択できることができることを特徴とする請求項２乃至５のいずれかに記載のプレゼント贈答サーバシステム。
【請求項７】
前記予告日時は第１のクライアント装置から設定することができることを特徴とする請求項２乃至６のいずれかに記載のプレゼント贈答サーバシステム。
【請求項８】
前記予告手段による予告通知に基づき、第１のクライアント装置から第２のクライアント装置の利用者に対するメッセージを入力することを可能とし、前記通知手段は前記第１のクライアント装置の利用者が入力したメッセージも通知することを特徴とする請求項２乃至７のいずれかに記載のプレゼント贈答サーバシステム。
【請求項９】
前記通知手段は、前記プレゼント候補に関する情報の所在を知らせるポインタとしてＵＲＬを使用し、通知したＵＲＬの閲覧にアクセス制限をかけ、前記アクセス制限の解除キーをメッセージに含めて第２のクライアント装置に通知することを特徴とする請求項２乃至８のいずれかに記載のプレゼント贈答サーバシステム。
【請求項１０】
前記可否決定手段は、前記第２のクライアント装置から送信された選択されたプレゼントの情報が第１のクライアント装置により否と決定された場合には、否となった商品を前記プレゼント候補から削除し、前記通知手段を起動して、残りのプレゼント候補を再び第２のクライアント装置に通知させることを特徴とする請求項２乃至９のいずれかに記載のプレゼント贈答サーバシステム。
【請求項１１】
前記可否決定手段は、第１のクライアント装置から第２のクライアント装置の利用者に対するメッセージを入力することを可能とし、前記通知手段は前記第１のクライアント装置の利用者が入力したメッセージも通知することを特徴とする請求項２乃至１０のいずれかに記載のプレゼント贈答サーバシステム。
【請求項１２】
利用者が使用する第１および第２のクライアント装置とネットワークを介して通信可能なサーバシステムのコンピュータを、
第１のクライアント装置から、利用者の所望する日付情報、第２のクライアント装置の利用者を唯一に特定する情報、および前記日付情報に関連した選択項目の情報を入力して記憶する入力手段、
入力された前記日付情報より前の所定の予告日時に前記第１のクライアント装置に対して前記日付の到来予告と、前記日付情報に関連した選択項目の内容を通知する予告手段、
前記予告に基づいて前記第１のクライアント装置から送信された選択項目にしたがって、第２のクライアント装置に対して前記選択項目に基づくプレゼント候補に関する通知を行う通知手段、
前記第２のクライアント装置から送信された選択されたプレゼントの情報を前記第１のクライアント装置に通知し、前記第１のクライアント装置が前記第２のクライアント装置が選択したプレゼントの可否を決定する可否決定手段
として機能させることを特徴とするプレゼント贈答プログラム。
【請求項１３】
第１のクライアント装置からサーバシステムに、利用者の所望する日付情報、第２のクライアント装置の利用者を唯一に特定する情報、および前記日付情報に関連した選択項目の情報を入力してサーバシステムに記憶するステップと、
サーバシステムにおいて、前記日付情報より前の所定の予告日時に前記第１のクライアント装置に対して前記日付の到来予告と、前記日付情報に関連した選択項目の内容を通知するステップと、
前記予告に基づいて前記第１のクライアント装置から送信された選択項目にしたがって、サーバシステムが第２のクライアント装置に対して前記選択項目に基づくプレゼント候補に関する通知を行うステップと、
前記第２のクライアント装置から送信された選択されたプレゼントの情報をサーバシステムが前記第１のクライアント装置に通知し、前記第１のクライアント装置が前記第２のクライアント装置が選択したプレゼントの可否を決定するステップと
を含むことを特徴とするプレゼント贈答方法。
【発明の詳細な説明】
【技術分野】
【０００１】
本発明は、ネットワーク接続できる携帯電話機などの通信端末を使用してネットワークにアクセスしている利用者が、プレゼント贈答サービスを提供するサーバシステムにアクセスして、記念日にプレゼントを贈ることが出来るプレゼント贈答システム、プレゼント贈答サーバシステム、プレゼント贈答プログラムおよびプレゼント贈答方法に関する。
【背景技術】
【０００２】
ＡＤＳＬ、ＦＴＴＨなどの技術の進歩および一般家庭などへの普及によりインターネットなどの通信ネットワークへの常時接続が実現されていることおよびｃＨＴＭＬやＷＡＰなどのプロトコルの技術の進歩・普及による携帯電話機による通信ネットワークへの容易な接続により固定の通信端末と同様にインターネットのサイトにアクセス可能となってきている。近年、Ｗｅｂページ（Ｈｔｔｐプロトコル）を用いたＷｅｂサイトで携帯電話機対応のＷｅｂページが増加しており、容易にアクセス可能であり、その市場は活性化している。
【０００３】
それらのＷｅｂサイトでは技術的にセキュリティなどの問題も解決されることによって電子商取引も普及してきており、利用者は携帯電話機およびパソコンなどの通信端末を利用して前述の電子商取引のＷｅｂサイトにアクセスし、商品およびサービスなどを電子的に購入することができるようになっている。
【０００４】
このようなインターネットを利用した電子商取引では、利用者は携帯電話機およびパソコンなどの通信端末を利用してインターネット上の電子的な仮想店舗にアクセスし、仮想店舗のサイトが提供する商品を選択決定し、更に商品の送り先などの属性情報および請求書の送り先などの属性情報を入力するように構成されている。
【０００５】
また一般的に、前述の電子商取引を行っているＷｅｂサイトでは、該Ｗｅｂサイトを運営している内部のサーバなどにデータベースが存在し、会員登録ページなどを経由して利用者から受信された会員情報が登録されている。発送および請求書送付の際には、会員番号などをキー情報としてそのデータベースを検索することにより発送先情報および請求先情報などをデータベースから取得することで自動的にＷｅｂページの画面情報に反映させるなどとし、利用者の入力処理などの軽減を図っている。
【０００６】
このような電子商取引サイトにおいて、特開２００２−２１６００６号公報で開示されているように、利用者にとって記憶しておきにくいが大切である記念日などの特別な日の到達予告とその特別な日にそれぞれ好適な商品の情報を利用者に通知する方法が知られている。この場合、利用者はあらかじめ特別な日の日付とその特別な日の内容などをネットワーク上のサービスを提供するサーバ装置などに登録しておく。サーバ装置はその特別な日の到達予告を確実に利用者に通知すると同時にサービス提供業者の電子商取引サイトの情報（ＵＲＬなど）も提供する。このようにして利用者はサービス提供業者の電子商取引サイトにてプレゼントなどを購入することができるシステムが開示されている。
【０００７】
【特許文献１】特開２００２−２１６００６号公報
【発明の開示】
【発明が解決しようとする課題】
【０００８】
このような従来の方法では、プレゼントの贈られる側が選択したプレゼントを贈り側が拒否することはできないため実際に贈りたくは無い商品を贈ることになってしまうことが発生していた。この時、贈り先の相手が子供や孫などの贈る側が気を遣いたい相手の場合は特に利用者に与えるサービス性が悪く既存のプレゼント贈答の電子商取引システムは利用されにくかった。
【０００９】
更にプレゼントのカテゴリーや、予算などについての情報は従来の電子商取引ではサーバ側には登録されていないため、提供される商品の情報はサービス提供側に委ねられていて、贈り側が意図した商品カテゴリーおよび予算内の商品を内容とするプレゼント情報をサーバ側から提供してもらうことはできなかった。
【００１０】
本発明は以上のような従来の欠点に鑑みてなされたものであり、その目的とするところは、プレゼントを贈る記念日の到来が近づくと、到来予告のメッセージが電子メールアドレスもしくは唯一なアカウント名を使用して利用者に届きプレゼントを忘却することなく相手に贈れることができ、予算内でカテゴリー内のプレゼントを贈ることを可能とし、更にプレゼントを贈られる側が選択したプレゼントを贈る側が拒否することができるプレゼント贈答システム、プレゼント贈答サーバシステム、プレゼント贈答プログラムおよびプレゼント贈答方法を提供することにある。
【課題を解決するための手段】
【００１１】
上記目的を達成するために、本発明のプレゼント贈答プレゼント贈答システムは、利用者が使用する、ネットワークを介してサーバシステムと通信可能な第１および第２のクライアント装置と、第１のクライアント装置から、利用者の所望する日付情報、第２のクライアント装置の利用者を唯一に特定する情報、および前記日付情報に関連した選択項目の情報を入力して記憶する入力手段と、入力された前記日付情報より前の所定の予告日時に前記第１のクライアント装置に対して前記日付の到来予告と、前記日付情報に関連した選択項目の内容を通知する予告手段と、前記予告に基づいて前記第１のクライアント装置から送信された選択項目にしたがって、第２のクライアント装置に対して前記選択項目に基づくプレゼント候補に関する通知を行う通知手段と、前記第２のクライアント装置から送信された選択されたプレゼントの情報を前記第１のクライアント装置に通知し、前記第１のクライアント装置が前記第２のクライアント装置が選択したプレゼントの可否を決定する可否決定手段とを有する、ネットワークを介して前記第１および第２のクライアント装置と通信可能なサーバシステムとを含むことを主要な特徴とする。
【００１２】
本発明のプレゼント贈答サーバシステムは、利用者が使用する第１および第２のクライアント装置とネットワークを介して通信可能なサーバシステムであって、第１のクライアント装置から、利用者の所望する日付情報、第２のクライアント装置の利用者を唯一に特定する情報、および前記日付情報に関連した選択項目の情報を入力して記憶する入力手段と、前記日付情報より前の所定の予告日時に前記第１のクライアント装置に対して前記日付の到来予告と、前記日付情報に関連した選択項目の内容を通知する予告手段と、前記予告に基づいて前記第１のクライアント装置から送信された選択項目にしたがって、第２のクライアント装置に対して前記選択項目に基づくプレゼント候補に関する通知を行う通知手段と、前記第２のクライアント装置から送信された選択されたプレゼントの情報を前記第１のクライアント装置に通知し、前記第１のクライアント装置が前記第２のクライアント装置が選択したプレゼントの可否を決定する可否決定手段とを有することを主要な特徴とする。
【００１３】
また前記したプレゼント贈答サーバシステムにおいて、前記日付情報は、プレゼントを贈る相手の記念日であり、前記日付情報に関連した選択項目は、プレゼントする商品あるいはサービスの予算額、プレゼントのカテゴリーであってもよい。
【００１４】
また前記したプレゼント贈答サーバシステムにおいて、前記第２のクライアント装置の利用者を唯一に特定する情報は電子メールアドレスであってもよい。
【００１５】
また前記したプレゼント贈答サーバシステムにおいて、前記第２のクライアント装置の利用者を唯一に特定する情報はプレゼント贈答システム内の会員として唯一のアカウント名であり、前記アカウント名で電子的にメッセージの送受信が可能であってもよい。
【００１６】
また前記したプレゼント贈答サーバシステムにおいて、前記予算額内であれば複数のプレゼントを選択できることができるようにしてもよい。
【００１７】
また前記したプレゼント贈答サーバシステムにおいて、前記予告日時は第１のクライアント装置から設定することができるようにしてもよい。
【００１８】
また前記したプレゼント贈答サーバシステムにおいて、前記予告手段による予告通知に基づき、第１のクライアント装置から第２のクライアント装置の利用者に対するメッセージを入力することを可能とし、前記通知手段は前記第１のクライアント装置の利用者が入力したメッセージも通知するようにしてもよい。
【００１９】
また前記したプレゼント贈答サーバシステムにおいて、前記通知手段は、前記プレゼント候補に関する情報の所在を知らせるポインタとしてＵＲＬを使用し、通知したＵＲＬの閲覧にアクセス制限をかけ、前記アクセス制限の解除キーをメッセージに含めて第２のクライアント装置に通知するようにしてもよい。
【００２０】
また前記したプレゼント贈答サーバシステムにおいて、前記可否決定手段は、前記第２のクライアント装置から送信された選択されたプレゼントの情報が第１のクライアント装置により否と決定された場合には、否となった商品を前記プレゼント候補から削除し、前記通知手段を起動して、残りのプレゼント候補を再び第２のクライアント装置に通知させるようにしてもよい。
【００２１】
また前記したプレゼント贈答サーバシステムにおいて、前記可否決定手段は、第１のクライアント装置から第２のクライアント装置の利用者に対するメッセージを入力することを可能とし、前記通知手段は前記第１のクライアント装置の利用者が入力したメッセージも通知するようにしてもよい。
【００２２】
本発明のプレゼント贈答プログラムは、利用者が使用する第１および第２のクライアント装置とネットワークを介して通信可能なサーバシステムのコンピュータを、第１のクライアント装置から、利用者の所望する日付情報、第２のクライアント装置の利用者を唯一に特定する情報、および前記日付情報に関連した選択項目の情報を入力して記憶する入力手段、入力された前記日付情報より前の所定の予告日時に前記第１のクライアント装置に対して前記日付の到来予告と、前記日付情報に関連した選択項目の内容を通知する予告手段、前記予告に基づいて前記第１のクライアント装置から送信された選択項目にしたがって、第２のクライアント装置に対して前記選択項目に基づくプレゼント候補に関する通知を行う通知手段、前記第２のクライアント装置から送信された選択されたプレゼントの情報を前記第１のクライアント装置に通知し、前記第１のクライアント装置が前記第２のクライアント装置が選択したプレゼントの可否を決定する可否決定手段として機能させることを主要な特徴とする。
【００２３】
本発明のプレゼント贈答方法は、第１のクライアント装置からサーバシステムに、利用者の所望する日付情報、第２のクライアント装置の利用者を唯一に特定する情報、および前記日付情報に関連した選択項目の情報を入力してサーバシステムに記憶するステップと、サーバシステムにおいて、前記日付情報より前の所定の予告日時に前記第１のクライアント装置に対して前記日付の到来予告と、前記日付情報に関連した選択項目の内容を通知するステップと、前記予告に基づいて前記第１のクライアント装置から送信された選択項目にしたがって、サーバシステムが第２のクライアント装置に対して前記選択項目に基づくプレゼント候補に関する通知を行うステップと、前記第２のクライアント装置から送信された選択されたプレゼントの情報をサーバシステムが前記第１のクライアント装置に通知し、前記第１のクライアント装置が前記第２のクライアント装置が選択したプレゼントの可否を決定するステップとを含むことを主要な特徴とする。
【発明の効果】
【００２４】
本発明においては、プレゼントを贈る側がプレゼントを忘れずに送ることを可能とし、また、プレゼントを贈る側がプレゼントを贈られる側にプレゼントの商品を選択する権利を与えることができ、更に、選択されたプレゼントを贈る側がその可否を決定する権利を有することができる。従って、贈る側および贈られる側の双方の要望にかなったプレゼント贈答サービスを提供することができ、利用者の満足度が向上する。
【発明を実施するための最良の形態】
【００２５】
以下に本発明を実施するための最良の形態の一例について図面を用いて詳細に説明する。先ず、本発明の全体構成について図１を用いて説明する。図１は本発明のプレゼント贈答システムのシステム構成図である。
サーバ装置１３および電子商取引（ＥＣ）サイト１５はインターネット２３および通信回線２１を介して相互に接続可能であると共に、クライアント装置の一種であるパソコンやＰＤＡ等の端末装置１２と接続可能に構成されており、更に、インターネット２３と接続された携帯電話網２４を介してクライアント装置の一種である携帯電話機１１とも通信可能に構成されている。
【００２６】
利用者はクライアント装置の一種である携帯電話機１１あるいは端末装置１２を利用して、携帯電話網２４あるいは通信回線２１（例えばＡＤＳＬ、ＦＴＴＨ、無線など）を経由して、それぞれのプロトコルに従ってインターネット２３に接続する。携帯電話機１１および端末装置１２はメール送受信プログラム、Ｗｅｂブラウザプログラムを備えているか、あるいはこれらの機能を含む本電子商取引システム用のアプリケーションプログラム１１１を備えている。
【００２７】
サーバ装置１３および電子商取引サイト１５は本実施形態においてはプレゼント贈答サーバシステムとしてサービスを提供しており、電子商取引サイト１５は主に利用者とのフロントエンドとして、サーバ装置１３はデータベースを有するバックエンドとして機能を分散している例を示している。但し、本発明は、例えばサーバ装置１３が電子商取引サイト１５の機能を全て備えている構成であっても実施可能である。本出願においては、サーバ装置１３および電子商取引サイト１５の機能を実行する１台あるいは複数台のサーバ装置をサーバシステムと表す。
【００２８】
サーバ装置１３には、電子商取引を行う利用者の住所、氏名、電話番号、電子メールアドレス、プレゼント贈答システムの会員ＩＤ、支払方法、支払いカード情報、取引銀行口座などの属性情報と、利用履歴などのお客様情報データベース１３１、商品の価格、商品の取引先などの商品の属性情報と、それらの商品がカテゴリーごとに分類されて登録・参照・修正可能である商品データベース１３３、注文がある際にその注文が始まってから処理が終了するまで使用される注文処理データベース１３５などが存在する。
【００２９】
図２は本発明に関するクライアント装置の一種である携帯電話機１１のブロック図を表している。携帯電話機１１は中央処理装置であるＣＰＵ２０１と、携帯電話網２４の基地局との通信を行う通信制御部２０３、例えば液晶表示装置を備えた表示部２０５、テンキー、補助キー、機能キー等の入力キー２０７およびリードオンリーメモリおよびリードライト可能なメモリ２０９から構成されている。メモリ２０９内のリードライト可能なメモリは例えばＷｅｂサイトからダウンロードしてくるＪａｖａ（登録商標）言語などで記載されたプログラムのエリア用のスペースとして使用され、リードオンリーメモリには例えばＪａｖａ（登録商標）アプリの実行環境プログラム、Ｗｅｂブラウザプログラム、メール送受信プログラム等が記憶されている。なお、図示されていないが、音声処理部も存在する。
【００３０】
図３に本発明に関するサーバ装置１３のブロック図を表している。サーバ装置１３はＣＰＵ３０１、ルータ等を介してインターネット２３との通信を行う通信制御部３０３、表示部３０５、入出力部３０７、ハードディスク装置等からなる外部記憶装置３１１およびリードオンリーおよびリードライト可能なメモリ３０９などから構成されている。
【００３１】
利用者は電子商取引サイト１５を利用するに際し、例えばクライアント装置のＷｅｂブラウザを使用してインターネット上に開設してある電子商取引サイト１５に通信回線２１を経由してアクセスする。
【００３２】
電子商取引サイト１５はアクセスしてきた第１のクライアント装置に会員ＩＤの入力を促す情報を送信する。利用者は会員の場合は会員ＩＤを入力し情報を送信し、会員でない場合は新たな会員登録のボタンを押下する。
【００３３】
電子商取引サイト１５は送信されてくる会員ＩＤにてアクセスしてきた利用者が会員かどうかを判断し、会員登録が行われていると判断される場合はすでに登録済のプレゼント先の登録内容情報を送信し、非会員であると判断される場合は新規会員登録の画面情報を送信する。
【００３４】
電子商取引サイト１５もしくはサーバ装置１３は新規の会員登録の場合は、会員情報として利用者の住所、氏名、電話番号、電子メールアドレス、支払方法、支払いカード情報などの入力を行う画面とその後、プレゼント先の登録画面を第１のクライアント装置に送信する。
【００３５】
プレゼントの登録画面は利用者が必要な登録数を終了するまで継続して行うことが可能であるように構成されている。プレゼントの登録画面にはプレゼントする相手先の住所、氏名、電話番号、電子メールアドレス、およびプレゼントを行う記念日、プレゼントの予算額、プレゼントのカテゴリーおよびメッセージなどが登録できるように構成されており、プレゼントを行う記念日、予算額、カテゴリー、メッセージについては複数登録が可能であるように構成されている。
【００３６】
電子商取引サイト１５もしくはサーバ装置１３は既存の会員がアクセスしてきた場合は、会員情報およびプレゼントの情報の画面を追加、修正、削除が可能な構成として送信する。利用者は上記画面にて自分の氏名、住所などの電子商取引を行うのに必要とされる自分の属性情報およびプレゼント先の情報を追加、修正、削除することができ、追加、修正、削除を行った場合はその情報を電子商取引サイト１５に送信する。電子商取引サイト１５は上記の第１のクライアント装置からの情報をサーバ装置１３に通知することによりお客様情報ＤＢ１３１の更新が行われる。
【００３７】
サーバ装置１３はお客様情報ＤＢ１３１の検索を行い、登録されている記念日が近づいていると判断される登録情報をリストアップする。上記検索の間隔は例えば、１日に１回０時に行うなどと指定することが可能になっている。
【００３８】
前記記念日が近づいているという判断は、あらかじめサーバ装置１３に設定している例えば１週間前といった値もしくは、利用者がプレゼント先の登録時に指定した到来予告日（例えば１０月２４日、当日の２週間前など）にて行うことが可能である。
【００３９】
更にリストアップされた登録情報に設定されているプレゼントの予算額およびカテゴリーに合致するリストを各々の利用者毎に作成する。それからその各々にＵＲＬを張り更にアクセス制限をかけてそのパスワードも作成しておき、更にメッセージも入力しておく。プレゼントの相手先に対して電子メールもしくは相手先も会員である場合は会員ＩＤでもってメッセージの送受信が可能に構成されている場合は会員ＩＤを使用したメッセージを用いて記念日に贈るメッセージおよび作成したリストのＵＲＬとそのＵＲＬにアクセスするためのパスワードを通知する。
【００４０】
メッセージを受信した贈られる側の利用者はパスワードを使用してＵＲＬにアクセスすることで贈る側の利用者のメッセージとプレゼントの選択情報を見ることができ、自分が欲しい商品を選択することができ、更に贈る側にメッセージを送ることができる。
【００４１】
プレゼントはカテゴリー別に予算内であれば複数選択可能となっており、更には一つ選択する毎に予算内で次に選択可能な商品を再度並べ替えて画面に表示させることも可能である。贈られる側の利用者はプレゼントを選択し、贈る側の第１の携帯電話機１１の利用者に対しメッセージを送ることができる。
贈られる側の利用者が選択したプレゼント内容およびメッセージは電子商取引サイト１５を経由して贈る側の利用者に通知される。贈る側の利用者は贈られる側の利用者が選択したプレゼントの内容を電子商取引サイト１５を通じて拒否することが可能なように構成されている。
【００４２】
次に、本発明のプレゼント贈答システムの情報処理手順を図４〜図１１の処理シーケンスおよび処理フローチャートと、図１２〜図１５のクライアント装置の閲覧画面を用いて説明する。この実施形態において、同一のクライアント装置を利用して、利用者はプレゼントの贈り手側にもなれるし、また違う場面においてはプレゼントの受け手側ともなれる。すなわち、クライアント装置は、プレゼントを贈る側に利用される際に必要な各種機能を備えると共に、プレゼントを受ける側に利用される際に必要な各種機能を備えている。ここで、以下の説明においては、便宜的に、一の利用者が他の利用者に対してプレゼントを贈る場面を想定し、プレゼントを贈る側の一の利用者が利用するクライアント装置を第１のクライアント装置と表し、プレゼントを受ける側の利用者が利用するクライアント装置を第２のクライアント装置と表すこととする。
【００４３】
なお、クライアント装置は、標準装備されているＷｅｂブラウザやメール送受信プログラムを使用して本発明の処理を実行する例を開示するが、本発明に関するクライアント用のアプリケーションプログラムをサーバから予めダウンロードし、このアプリケーションプログラムを使用してもよい。
【００４４】
第１のクライアント装置はＷｅｂブラウザを用いて前記インターネット２３内に開設されている電子商取引サイト１５にアクセスする（ｓａ１１）。電子商取引サイト１５はアクセスしてきた第１のクライアント装置に会員ＩＤの入力あるいは入会手続きを要求する画面情報を送信する（ｓｃ１１、ｆａ１１）。
【００４５】
第１のクライアント装置は、受信したページ画面情報を表示し、入力を受け付ける（ｓａ１３）。第１のクライアント装置の利用者は自分が会員の場合は会員ＩＤとパスワードを入力し、ログインボタンを押下する。また、会員でない場合は新たな会員登録を行う入会ボタンを押下する（ｓａ１３）。
第１のクライアント装置はログインボタンと入会ボタンのどちらが押下されたかを判定し（ｓａ１５）、ログインボタンが押下された場合には会員ＩＤとパスワードを電子商取引サイト１５に送信する（ｓａ１７）。電子商取引サイト１５は送信されてきた会員ＩＤとパスワードをサーバ装置１３に送信し（ｓｃ１３）、サーバ装置１３はアクセスしてきた利用者が会員登録されているかどうかを検索して判断する（ｓｂ１１）。
【００４６】
なお、クライアント装置が携帯電話機である場合には、ＩＰアドレスから携帯電話網２４経由のアクセスであることが判明し、また、ＥＣサイト１５が携帯電話網２４の通信事業者から認定を受けた公式サイトであれば、携帯電話機１１からのアクセスの際にＥＣサイト１５は携帯電話網２４から利用者に付与されている唯一固有の識別情報であるユーザＩＤ情報（ＵＩＤ）を取得可能であるので、このＵＩＤを取得して、アクセスしてきた携帯電話機（利用者）を特定し、サーバ装置１３においては、このＵＩＤをキーとして検索を行い利用者が会員登録されているか否かを判定するようにしてもよい。このようにすれば、携帯電話機１１の利用者はＩＤおよびパスワードを入力する必要がなくなる。
【００４７】
会員登録が行われていると判断（ｓｂ１３）される場合はすでに登録済のプレゼント先の登録内容情報を編集する（ｓｂ１５）。非会員であると判断される場合は非会員であったことを編集し（ｓｂ１７）、編集した内容を電子商取引サイト１５に送信する（ｓｂ１９）。ＥＣサイト１５は、会員ＩＤとパスワードの入力結果のＯＫ／ＮＧを判断し（ｓｃ１５）、ＮＧである場合は再度会員ＩＤとパスワードの入力画面を表示する。この時、図示していないがパスワード入力エラーを表示してから再度会員ＩＤとパスワードの入力画面に戻っても構わない。また、本会員ＩＤとパスワードの判断は電子商取引サイト１５もしくはサーバ装置１３のどちらで行っても良い。ＯＫである場合はステップｓｃ２７に移動する。
【００４８】
第１のクライアント装置が入会ボタンが押下されたと判定した場合には、新規会員登録の要求を電子商取引サイト１５に送信する（ｓａ１９）。電子商取引サイト１５は会員情報として利用者の住所、氏名、電話番号、電子メールアドレス、支払方法、支払いカード情報、取引銀行口座などの入力を行う画面を第１のクライアント装置に送る（ｓｃ１７、ｆａ１３ａ、ｆａ１３ｂ）。クライアント装置が携帯電話機である場合には画面は小さいため、全ての情報が一画面に収まらないことが多い。よって、ｆａ１３ａ、ｆａ１３ｂでは、図示していないが入力キー２０７の上向きキーおよび下向きキーを使用することで全ての画面を表示することができることを示している。
【００４９】
第１のクライアント装置の利用者は前記氏名、住所などの自己の属性情報を入力した後に電子商取引サイト１５に送り（ｓａ２１）、次に電子商取引サイト１５はサーバ装置１３に前記第１のクライアント装置の利用者からの会員情報を送信し（ｓｃ１９）、サーバ装置１３は該利用者の属性情報をお客様情報ＤＢ１３１（データベース、以後ＤＢと称する）に保存する（ｓｂ２１）。
【００５０】
利用者自身の会員情報の登録の後に、電子商取引サイト１５は第１のクライアント装置の利用者に対しプレゼント先の登録情報として、プレゼント相手先の氏名、年齢、住所、電話番号、電子メールアドレスなどの送付に関して必要な情報と、記念日の入力を促す画面を送る（ｓｃ２１、ｆａ１５）。
【００５１】
この時前記記念日は複数設定が可能なように構成されており、更にプレゼント先そのものも複数継続して登録することが可能なように構成されている。第１のクライアント装置の利用者は促された必要な情報を入力して電子商取引サイト１５に送信する操作を行うか、明示的に登録終了ボタンｆａ１５１をクリックすることで終了を送信する（ｓａ２３）。
【００５２】
この実施形態においては個々のプレゼント先の記念日それぞれに対しての予算額やカテゴリーに付いては設定を促さず、プレゼント先の相手の氏名のみを登録するようになっており、各々のプレゼント先の詳細な設定は会員がアクセスするときに表示するプレゼント先の画面情報で一元的に設定するような実施例になっている。各々のプレゼント先の詳細な設定もこのステップ（ｓａ２３、ｆａ１５）において行うように構成することも可能である。
【００５３】
電子商取引サイト１５では第１のクライアント装置が利用者から受取ったプレゼント先情報をサーバ装置１３に通知し（ｓｃ２３）、該プレゼント先情報を受取ったサーバ装置１３はサーバ装置１３内のお客様情報ＤＢ１３１に随時保存する（ｓｂ２３）。その後電子商取引サイト１５はステップｓｃ２１から処理終了（ｓｃ２５）となるまで処理を繰り返す。ここまでの段階において会員になる電子商取引サイト１５の利用者は複数のプレゼント先情報をサーバ装置１３内のお客様情報ＤＢに保存することができる。以上の処理が本発明における入力手段に相当する。
【００５４】
電子商取引サイト１５もしくはサーバ装置１３は既存の会員が会員ＩＤおよびパスワードを入力することでアクセスしてきた場合は、会員情報およびプレゼントの情報の画面を追加、修正、削除が可能な画面構成として送信する（ｓｃ２７、ｆａ１７）。この画面は、利用者の第１のクライアント装置に表示される。これによって、利用者は上記画面にて自己の会員情報およびプレゼント先の情報を追加作成、修正、削除することができ、追加作成、修正、削除の選択を行う（ｓａ２５）と、電子商取引サイト１５は利用者が選択した情報に従って処理を分岐させる（ｓｃ２９）。
【００５５】
終了を選択した場合は、終了画面を作成し第１のクライアント装置に送信し処理は終了する（ｓｃ３１、ｓａ２７、ｆａ１９）。プレゼント先の追加を選択した場合は、電子商取引サイト１５はプレゼント先の追加登録画面を第１のクライアント装置に送信する（ｓｃ３３、ｓｃ３５、ｆａ２１）。
【００５６】
利用者はｆａ２１１の各項目であるプレゼント先の追加登録の編集（ｓａ２９）を行った後「保存」もしくは「キャンセル」ボタンを押下する（ｓａ３１）。押下されたボタンを判定し（ｓｃ３７）、「キャンセル」ボタン押下と判断されると会員として電子商取引サイト１５にアクセスした時の最初の画面を表示するステップに移動する（ｓｃ３９）。
【００５７】
「保存」ボタンを押下した場合は、電子商取引サイト１５はサーバ装置１３に追加情報の保存要求を行い（ｓｃ４１）、サーバ装置１３は保存要求のあった利用者の情報を対象のお客様情報ＤＢ１３１に保存する（ｓｂ２５）。その後、電子商取引サイト１５は追加情報を保存したことの通知を行い（ｓｃ４３）、その後、会員として電子商取引サイト１５にアクセスした時の最初の画面を表示するステップに移動する（ｓｃ３９）。
【００５８】
利用者が使用している第１のクライアント装置には追加登録ができたことの通知画面が表示される（ｓａ３３、ｆａ２２）。
【００５９】
利用者がプレゼント情報の修正を選択した場合（ｓｃ４５）は、利用者の情報をサーバ装置１３に要求し（ｓｃ４７）、サーバ装置１３はお客様情報ＤＢ１３１より指定の利用者の情報を抽出し（ｓｂ２７）、抽出した情報を電子商取引サイト１５に送られて来る（ｓｂ２７）ので、電子商取引サイト１５は
利用者の第１のクライアント装置に対してプレゼント先の編集画面を送る（ｓｃ４９、ｆａ２３ａ、ｆａ２３ｂ、ｆａ２３ｃ）。画面において、携帯電話機なので全ての情報が表示できないため、ｆａ２３ａ、ｆａ２３ｂようにトップの画面をｆａ２３ａ、ボトムの画面をｆａ２３ｂで表している。更にｆａ２３ｃは１つの画面情報を全て表示させたものである。
【００６０】
プレゼント先情報はｆａ２３ａ、ｆａ２３ｂ、ｆａ２３ｃに示すように、プレゼント先の氏名、住所、年齢、電子メールアドレスなどの属性情報と１つまたはそれ以上の記念日および、プレゼントの履歴情報から構成されている。それぞれの記念日に関する設定情報である予算額、記念日の内容、プレゼントのカテゴリーなどは最初のプレゼント先更新画面（ｆａ２３ｃ）から記念日の「詳細」ボタンをクリックすることで編集可能である（ｆａ２５）。以降、ｆａ２３ａ、ｆａ２３ｂ、ｆａ２３ｃをまとめてｆａ２３で表すこととする。
【００６１】
利用者はｆａ２３の画面でｆａ２３１の各項目を編集する場合は編集し（ｓａ３５）、「保存」ボタンを押下することで編集した内容を保存できる。画面に表示されているプレゼントの登録先を削除したい場合は「削除」ボタンを押下することで可能である。更に処理をキャンセルしたい場合は、「キャンセル」ボタンを押下することで可能である。また、記念日毎の詳細な内容を編集したい場合は記念日の「詳細」ボタンを押下することで可能である。利用者が押下する「保存」、「削除」、「詳細」、「キャンセル」のボタン情報は第１のクライアント装置から電子商取引サイト１５に送られる（ｓａ３７）。
【００６２】
電子商取引サイト１５は送られて来たボタン情報にて処理を分岐する（ｓｃ５１）。ボタン情報が「詳細」の場合、電子商取引サイト１５は記念日対応の情報をサーバ装置１３に要求し（ｓｃ５５）、サーバ装置１３は指定された利用者のプレゼント先情報の記念日対応の情報をお客様情報ＤＢ１３１より検索し電子商取引サイト１５に通知する（ｓｂ２９）。
【００６３】
電子商取引サイト１５は通知された情報を第１のクライアント装置に送る（ｓｃ５７、ｆａ２５）。利用者は記念日対応の設定情報を修正（ｓａ３９）した後に「保存」ボタンを押下するか、該記念日を削除するために「削除」ボタンを押下するか、処理を途中で止めるために「キャンセル」ボタンを押下する。その押下されたボタン情報は第１のクライアント装置が電子商取引サイト１５に送る（ｓａ４１）。電子商取引サイト１５は上記押下ボタン情報により分岐する（ｓｃ５９）。
【００６４】
分岐ｓｃ５９において、ボタン情報が「キャンセル」の場合は、電子商取引サイト１５は会員が最初に電子商取引サイト１５にログインしたときのプレゼント先情報表示画面に遷移する（ｓｃ３９）。ボタン情報が「削除」の場合は、電子商取引サイト１５はサーバ装置１３に対し利用者が指定した特定のプレゼント先の記念日に対応した情報を削除するようにサーバ装置１３に通知する（ｓｃ６１）。
【００６５】
削除の通知を受けたサーバ装置１３は指定の利用者の指定のプレゼント先の記念日の情報を削除する（ｓｂ３１）。電子商取引サイト１５はその後削除したことを第１のクライアント装置に通知し（ｓｃ６３）、その後、会員が最初にログインしたときの画面に遷移する。ボタン情報が「保存」の場合は、電子商取引サイト１５は利用者のプレゼント先情報とその記念日に関する情報の保存要求をサーバ装置１３に通知し（ｓｃ６５）、その後会員が最初にログインしたときの画面に遷移する。サーバ装置１３は該情報をお客様情報ＤＢに保存する（ｓｂ３３）。
【００６６】
プレゼント先の編集画面の最初の画面（ｆａ２３、ｓａ３５）で、利用者が「保存」を選択した場合（ｓｃ５１の分岐）は、利用者が編集したプレゼント先情報の保存要求をサーバ装置１３に通知し（ｓｃ５３）、その後ｓｃ４１の処理ステップに移動する。また、プレゼント先の編集画面の最初の画面（ｆａ２３、ｓａ３５）で、利用者が「キャンセル」を選択した場合は、何もせずその後会員がログインした最初の画面に遷移する（ｓｃ３９）。また、ｓｃ５１の分岐で「削除」が選択していた場合、電子商取引サイト１５は現在表示中のプレゼント登録先を削除する旨の表示画面を第１のクライアント装置に送信する（ｓｃ９９、ｆａ３９）。第１のクライアント装置は削除確認画面を表示する（ｓａ５７、ｆａ３９）。
【００６７】
第１のクライアント装置の利用者は、「はい／いいえ」を決定し「削除」もしくは「キャンセル」ボタンを押下し、その押下ボタン情報は電子商取引サイト１５に通知される（ｓａ５９）。電子商取引サイト１５は、押下されたボタン情報を判別し（ｓｃ１０１）、削除がＯＫであれば、お客様情報ＤＢから現在編集中のプレゼント登録先情報の削除要求をサーバ装置１３に対して送信し（ｓｃ１０３）、プレゼント登録先が削除されたことを画面表示（図示せず）にて第１のクライアント装置に通知し、会員として電子商取引サイト１５にアクセスした時の最初の画面を表示するステップに移動する（ｓｃ３９）。第１のクライアント装置の利用者は画面表示（図示せず）にて削除されたことを確認する。また、削除要求を受信したサーバ装置１３はお客様情報ＤＢ１３１から指定のプレゼント登録先の情報を削除する。
【００６８】
サーバ装置１３は例えば１日に１回のある決まった時刻にサーバ装置１３内のお客様情報ＤＢ１３１を登録済の全ての会員に関して検索する（ｓｂ３７）。そして、例えば記念日が所定の日数以内に到来するなど、記念日の到来が近づいたと判断できるデータが有った（ｓｂ３９）場合は該データをリストアップして保存しておき、ＵＲＬと関連付け（ｓｂ４１）、記念日の到来予告データとして全てのデータの検索を終了（ｓｂ４３）するまで継続して行う。なお、この検索は例えば毎月あるいは１０日に１回、あるいは毎週１回行うようにしてもよく、これらの場合には、例えば記念日が次回の検索日に所定の日数を足した日より近いものをリストアップする。
【００６９】
この時、登録の有るカテゴリーと予算内の商品の一覧もカテゴリー別に分類された商品ＤＢ１３２を参照して同時に作成して保存しておく。作成保存した記念日の到来予告のデータに従って今回の到来予告の利用者に対し、電子メールもしくは会員ＩＤなどでメッセージを送れる場合は会員ＩＤを使用したメッセージングサービスを用いて利用者に記念日の到来予告のメッセージと該当ＵＲＬ情報を通知する（ｓｂ４５、ｆａ２７）。
【００７０】
記念日の到来予告メッセージを受信した利用者が第１のクライアント装置により該当ＵＲＬをアクセス（ｓａ４５、ｆａ２７）すると、電子商取引サイト１５はリストアップして保存した利用者対応のデータを画面に表示させる情報を第１のクライアント装置に送信する（ｓｃ６７、ｆａ２９）。利用者は自分が登録した記念日のプレゼント先情報を参照して、以前自分が設定した予算額、カテゴリーなどの設定情報を修正することができるようになっており、更に贈るかどうかの選択も可能となっている。贈る場合は、予算額、カテゴリーなどを修正する必要が無ければそのまま修正することなく、また予算額やカテゴリーなどを修正する場合は修正し、プレゼントの相手先へのメッセージをコメント欄に書き込み（ｆａ２９）、「Ｙｅｓ」ボタンをクリックすることで第１のクライアント装置がこれら情報を電子商取引サイト１５に送信する（ｓａ４７）。
【００７１】
贈らない場合は「Ｎｏ」ボタンをクリックすることで電子商取引サイト１５に贈らないことを通知する。電子商取引サイト１５は受信したボタン情報などを判断し（ｓｃ６８）、「贈らない」場合は終了画面を送信し、会員として電子商取引サイト１５にアクセスした時の最初の画面を表示するステップに移動する。この時、第１のクライアント装置の利用者は終了画面を見て（ｓａ６３）から再度登録済のプレゼント先情報の画面の閲覧を行うことになる。以上の処理が本発明における予告手段に相当する。
【００７２】
予算額もしくはカテゴリーに変更が有った場合は電子商取引サイト１５はサーバ装置１３に再度予算額に合致するカテゴリーの商品のリストアップを行う依頼を行い（ｓｃ６９）、サーバ装置１３はカテゴリーごとに分類された商品ＤＢ１３２からカテゴリーと予算額以下の商品をリストアップして、該リストアップしたデータにアクセス制限をかけ、ＵＲＬとそのＵＲＬアクセスするためのパスワードと贈る側が設定（ｓｂ４７）したメッセージをプレゼントを贈られる側の第２のクライアント装置に電子メールもしくは会員ＩＤなどで送れるメッセージングサービスを使用して通知する（ｓｂ４７、ｆｂ１１）。
【００７３】
プレゼントのメッセージを受信した第２のクライアント装置の利用者は受信したメッセージ内に記載のあるＵＲＬをアクセスする（ｓｄ１１）。この時、パスワードの入力を促されるので受信したパスワードを入力する（ｓｄ１１）。パスワードが間違っていた場合は前記ＵＲＬへはアクセスできず、再度入力を促されることになる（ｓｄ１１）。パスワードが合っていた場合は、第２のクライアント装置の利用者は、電子商取引サイト１５が通知した第１のクライアントの利用者が入力したメッセージと、予算内でカテゴリーに従った商品のリストの情報を見ることができる（ｓｃ７３、ｆｂ１３）。以上の処理が本発明における通知手段に相当する。
【００７４】
次に第２のクライアント装置の利用者はリストアップされた商品をクリックするなどして選択し、電子商取引サイト１５に通知する（ｓｄ１３）。この時、選択可能な商品は、予算内であれば複数個を選択できるように構成されている。選択された商品情報を受信した電子商取引サイト１５は選択された商品をサーバ装置１３に通知する（ｓｃ７５）。この実施例では、複数の商品を一度に選択する例を図示しているが、一個選択する毎に電子商取引サイト１５に逐一通知する構成でも構わない。また更に図示していないが複数個を一度に選択する場合に、携帯電話機のアプリケーションにて１つの商品を選択するごとに残りの金額を表示することも可能である。更に前記携帯電話機のアプリケーションにて、金額が越えるかどうかの判断も行い、越える場合はエラーを表示するなどの処理も可能である。
【００７５】
本実施例においては、サーバ装置１３が選択された商品の合計額を計算し、登録されている予算額と比較し、予算額を越えていないか計算する。更に予算内であれば更に在庫が有るかを調査する（ｓｂ５１）。予算内であり在庫が有る場合はその商品を仮に押さえ（ｓｂ５３）、電子商取引サイト１５に贈り先選択商品が問題無いことを通知する（ｓｂ５３）。
【００７６】
電子商取引サイト１５は贈られる側の第２のクライアント装置の利用者が選択し予算的もしくは在庫としても問題ない商品の一覧を第１のクライアント装置の利用者に電子メールなど利用してメッセージとして通知する（ｓｃ７７、ｆａ２９）。プレゼントを贈る側の第１のクライアント装置の利用者はここで贈られる側が選択した商品を拒否することができる（ｓａ４９）。
【００７７】
贈る側の第１のクライアント装置の利用者は拒否する場合は、拒否理由などのメッセージを入力することができるように入力を促され、記載したメッセージおよび拒否したことを電子商取引サイト１５に通知する（ｓａ５１）。
【００７８】
電子商取引サイト１５は贈る側の第１のクライアント装置の利用者からのメッセージと拒否した商品を削除した商品リストを作成し、商品リストのＵＲＬとパスワードとともに第２のクライアント装置の利用者にメッセージにて通知する（ｓｃ７９、ｆｂ１５）。また拒否された商品の仮押さえを中止するためにサーバ装置１３に対して仮押さえ中止依頼を行い（ｓｃ８１）、サーバ装置１３は商品の仮押さえを中止する（ｓｂ５５）。以上の処理が本発明における可否決定手段に相当する。
【００７９】
第２のクライアント装置の利用者が選択した商品を贈る側の第１のクライアント装置の利用者が拒否しない場合は、第１のクライアント装置は問題が無いことを電子商取引サイト１５に対し通知し（ｓａ５３）、電子商取引サイト１５はサーバ装置１３に対し発注処理を行うように通知することで指示する（ｓｃ８３）。
【００８０】
サーバ装置１３は発注処理を行い到着日の推定などを行い電子商取引サイト１５に通知し（ｓｂ５７）、それから第１のクライアント装置の利用者のプレゼント先情報を「未処理」から「処理済」にするなどの制御を行う（ｓｂ５９）。
【００８１】
電子商取引サイト１５はプレゼントを贈ること、その到着推定日の通知および贈る側へのメッセージの入力を促すメッセージを贈られる側の第２のクライアント装置の利用者に通知する（ｓｃ８５、ｆｂ１７）。第２のクライアント装置の利用者からメッセージを含んだ受信通知が電子商取引サイト１５に送られて来ると（ｓｄ１５）、電子商取引サイト１５は第１のクライアント装置の利用者に対しプレゼントを発送したことの通知と第２のクライアント装置の利用者からのメッセージとお届け予定日などを通知し（ｓｃ８７）、第１のクライアント装置の利用者はそのメッセージ見ることになる。（ｓａ５５、ｆａ３１）。
【００８２】
ｓｂ３３にて予算内でなければ（ｓｂ６１）予算越えであることを電子商取引サイト１５に通知し（ｓｂ６５）、電子商取引サイト１５は予算越えの通知メッセージと再度ＵＲＬを設定したメッセージを第２のクライアント装置の利用者に送信する（ｓｃ９１）。
【００８３】
予算内ではあったが在庫が無かった場合は在庫が無かった場合は、在庫が無かったことを電子商取引サイト１５に通知し（ｓｂ６３）、電子商取引サイト１５は、在庫なしのメッセージと在庫が無かった該商品を削除したリストを更新してそのＵＲＬとパスワードとを第２のクライアント装置の利用者にメッセージを送信し（ｓｃ８９）再度第２のクライアント装置の利用者をＵＲＬの画面へと誘導する。
【００８４】
ステップｓｃ２９において会員情報の修正を行う場合（ｓｃ９３）は電子商取引サイト１５はサーバ装置１３に第１のクライアント装置の利用者の会員情報を要求し（ｓｃ９５）、サーバ装置１３は該当する利用者の情報をお客様情報ＤＢより検索し電子商取引サイト１５に通知し（ｓｂ６７）、電子商取引サイト１５は自己の情報を問い合わせた第１のクライアント装置の利用者に通知する（ｓｃ９７）。利用者はこの後設定内容の修正などが可能になっている。
【００８５】
本実施形態においては、電子商取引サイト１５とサーバ装置１３は別々なものとして構成し説明しているが、１つの装置で構成することも可能である。この場合、図４の処理シーケンスおよびフローチャートで電子商取引サイト１５とサーバ装置１３間の通信は内部処理として実現されるものである。
【００８６】
以上の説明から明らかなように本実施形態にあっては次に列挙する効果が得られる。
（１）本プレゼント贈答システムの電子商取引において、プレゼントを贈る側がプレゼントを忘れずに送ることを可能とし、更にプレゼントを贈る側が、プレゼントを贈られる側にプレゼントの商品を選択する権利を与えることができ、更に選択されたプレゼントを贈る側がその可否を決定する権利を有することができる。
【００８７】
（２）更に、プレゼントの予算額およびカテゴリーを、プレゼントを贈る側が設定できることで、カテゴリーに属した予算額内のプレゼントを送ることが出来る。
（３）更に、メッセージによる通知の際に、電子メールアドレスもしくはプレゼント贈答システム内の会員として唯一のアカウント名を使用できるので、郵便などを使用するよりも即時的にプレゼントを贈る処理を行うことが出来、人的ミスもなく、個人を特定できる。
【００８８】
（４）また、商品の予算額内であれば複数のプレゼントを選択できることを可能とすることでプレゼントを受ける第２のクライアントのプレゼントの選択の幅が広がり、サービス性が良くなる。
（５）入力された前記日付情報より前の適切な日時は、プレゼントを贈る側が指定することを可能にすることにより、プレゼントを贈るクライアントの細かなニーズに対応することが出来る。
【００８９】
（６）プレゼントを贈る側が贈られる側にメッセージを送れることで、ユーザフレンドリである。
（７）プレゼント内容を知らせる手段としてＵＲＬを使用し、更にメール等で通知したＵＲＬの閲覧にアクセス制限をかけ、前記アクセス制限の解除キーをメッセージに含めて第２のクライアント装置に通知することで、メッセージ受信画面から１回のクリックでプレゼントの選択画面に移動することが可能であり、アクセス制限があるので安心して使用できる。
【００９０】
（８）プレゼントを贈られる側が選択した項目をプレゼントを贈る側が否と決定した場合には、自動的に否となった商品をリストから削除し残りの項目をプレゼントを贈られる側に通知し、更に否ではない場合に、プレゼントを贈られる側から贈る側にメッセージを送ることが出来るので利便性が良くなる。
【産業上の利用可能性】
【００９１】
本発明は、通信ネットワークを介して提供される電子商取引システムおよびサーバ装置、電子商取引プログラムなどの通信産業およびコンピュータ産業などで利用可能である
【図面の簡単な説明】
【００９２】
【図１】本発明のプレゼント贈答システムのシステム構成図である。
【図２】本発明のサーバ装置のブロック図である。
【図３】本発明のクライアント装置のブロック図である。
【図４】本発明のプレゼント贈答システムの処理シーケンスおよびフローチャートである。
【図５】本発明のプレゼント贈答システムの処理シーケンスおよびフローチャートである。
【図６】本発明のプレゼント贈答システムの処理シーケンスおよびフローチャートである。
【図７】本発明のプレゼント贈答システムの処理シーケンスおよびフローチャートである。
【図８】本発明のプレゼント贈答システムの処理シーケンスおよびフローチャートである。
【図９】本発明のプレゼント贈答システムの処理シーケンスおよびフローチャートである。
【図１０】本発明のプレゼント贈答システムの処理シーケンスおよびフローチャートである。
【図１１】本発明のプレゼント贈答システムの処理シーケンスおよびフローチャートである。
【図１２】本発明のプレゼント贈答システムの処理シーケンスおよびフローチャートである。
【図１３】本発明のプレゼント贈答システムの第１のクライアント装置の画面である。
【図１４】本発明のプレゼント贈答システムの第１のクライアント装置の画面である。
【図１５】本発明のプレゼント贈答システムの第１のクライアント装置の画面である。
【図１６】本発明のプレゼント贈答システムの第１のクライアント装置の画面である。
【図１７】本発明のプレゼント贈答システムの第２のクライアント装置の画面である。
【符号の説明】
【００９３】
１１    携帯電話機
１２    端末装置
１３    サーバ装置
１５    電子商取引サイト
２１    通信回線
２３    インターネット
２４    携帯電話網
１１１  アプリケーションプログラム
１３１  お客様情報ＤＢ
１３３  カテゴリーに分類された商品(リスト)ＤＢ
１３５  注文ＤＢ
【図１】
2005158028.tif 000003
【図２】
2005158028.tif 000004
【図３】
2005158028.tif 000005
【図４】
2005158028.tif 000006
【図５】
2005158028.tif 000007
【図６】
2005158028.tif 000008
【図７】
2005158028.tif 000009
【図８】
2005158028.tif 000010
【図９】
2005158028.tif 000011
【図１０】
2005158028.tif 000012
【図１１】
2005158028.tif 000013
【図１２】
2005158028.tif 000014
【図１３】
2005158028.tif 000015
【図１４】
2005158028.tif 000016
【図１５】
2005158028.tif 000017
【図１６】
2005158028.tif 000018
【図１７】
2005158028.tif 000019
【手続補正書】
【提出日】平成16年12月6日(2004.12.6)
【手続補正１】
【補正対象書類名】特許請求の範囲
【補正対象項目名】全文
【補正方法】変更
【補正の内容】
【特許請求の範囲】
【請求項１】
ネットワークを介してクライアント装置と通信するサーバにおけるプレゼント贈答システムであって、
商品、当該商品の価格および当該商品のカテゴリーを記憶する商品データベースと、
第１クライアント装置から当該第１クライアント装置の利用者の操作に応じてプレゼントを行う記念日の日付情報、第２クライアント装置の利用者を唯一に特定する利用者情報、プレゼントのカテゴリー情報、および、プレゼントの予算額情報の入力を受け付ける第１受付手段と、
前記第１受付手段で受け付けた日付情報、利用者情報、カテゴリー情報、予算額情報、および、当該カテゴリー情報と当該予算額情報に基づいて前記商品データベースを参照して前記カテゴリー内で前記予算額内の商品一覧情報をプレゼント情報として記憶するメモリと、
入力された前記日付情報より前の所定の予告日時に前記第１クライアント装置に対して前記記念日の到来予告と、前記メモリに記憶した前記プレゼント情報を通知する予告手段と、
前記予告手段によって通知したプレゼント情報に基づいて、前記第１のクライアント装置から当該第１クライアント装置の利用者の操作に応じて前記プレゼント情報を受け付ける第２受付手段と、
第２クライアント装置に対して前記第２受付手段で受け付けたプレゼント情報に基づいて商品一覧情報の通知を行う通知手段と、
前記第２クライアント装置から当該第２クライアント装置の利用者の操作に応じて前記通知手段で通知した商品一覧情報に基づいて１以上の商品の選択入力を受け付ける第３受付手段と、
前記商品データベースを参照して前記第３受付手段で受け付けた商品の金額の合計額を計算し、当該合計額と前記メモリに記憶した予算額情報の予算額とを比較して前記合計額が前記予算額を越えるかどうかの判断を行う合計額判断手段と、
前記第３受付手段で受け付けた１以上の商品の発注処理を通知する発注通知手段と、
を含むことを特徴とするプレゼント贈答システム。
【請求項２】
前記第２クライアント装置から当該第２クライアント装置の利用者の操作に応じて前記商品一覧以外の商品が選択された場合、当該商品の情報を前記第１クライアント装置に通知し、前記第１クライアント装置が前記第２クライアント装置が選択した商品の可否を決定する可否決定手段と、
を有することを特徴とする請求項１記載のプレゼント贈答システム。
【請求項３】
前記第２受付手段が、前記第１クライアント装置から前記カテゴリー情報および前記予算額情報の変更を受け付け、
前記メモリが、変更された前記カテゴリー情報および前記予算額情報を参照して当該変更カテゴリー内で当該変更予算額内の商品一覧情報をプレゼント情報として記憶する、
ことを特徴とする請求項１記載のプレゼント贈答システム。
【請求項４】
前記第３受付手段が商品の選択入力を受け付けた場合、前記判断手段が選択入力された商品の金額の合計額を計算し、当該合計額と前記メモリに記憶した予算額情報の前記予算額を比較し、前記通知手段が前記予算額内で選択可能な商品を並べ替えて第２クライアント装置に対して商品一覧情報の通知を行うことを特徴する請求項１記載のプレゼント贈答システム。
【請求項５】
ネットワークを介してクライアント装置と通信するサーバにおけるプレゼント贈答システム方法であって、
第１クライアント装置から当該第１クライアント装置の利用者の操作に応じてプレゼントを行う記念日の日付情報、第２クライアント装置の利用者を唯一に特定する利用者情報、プレゼントのカテゴリー情報、および、プレゼントの予算額情報の入力を前記サーバにおいて受け付ける第１ステップと、
前記第１ステップで受け付けた日付情報、利用者情報、カテゴリー情報、予算額情報、および、当該カテゴリー情報と当該予算額情報に基づいて、商品、当該商品の価格および当該商品のカテゴリーを記憶する商品データベースを参照して前記カテゴリー内で前記予算額内の商品一覧情報をプレゼント情報として前記サーバのメモリに記憶する第２ステップと、
前記第１ステップにおいて入力された前記日付情報より前の所定の予告日時に前記サーバから前記第１クライアント装置に対して前記記念日の到来予告と、前記第２ステップで前記メモリに記憶した前記プレゼント情報を通知する第３ステップと、
前記第３ステップによって通知したプレゼント情報に基づいて、前記第１のクライアント装置から当該第１クライアント装置の利用者の操作に応じて前記サーバにおいて前記プレゼント情報を受け付ける第４ステップと、
前記サーバから第２クライアント装置に対して前記第４ステップで受け付けたプレゼント情報に基づいて商品一覧情報の通知を行う第５ステップと、
前記第２クライアント装置から当該第２クライアント装置の利用者の操作に応じて前記第５ステップで通知した商品一覧情報に基づいて前記サーバにおいて１以上の商品の選択入力を受け付ける第６ステップと、
前記商品データベースを参照して前記第６ステップで受け付けた商品の金額の合計額を計算し、当該合計額と前記第２ステップで前記メモリに記憶した予算額情報の予算額とを比較して前記合計額が前記予算額を越えるかどうかの判断を行う第７ステップと、
前記第６ステップで受け付けた１以上の商品の発注処理を通知する第８ステップと、
を含むことを特徴とするプレゼント贈答方法。
【請求項６】
前記第４ステップにおいて、前記第１のクライアント装置から当該第１クライアント装置の利用者の操作に応じて前記サーバにおいて前記カテゴリー情報および前記予算額情報の変更を受け付け、当該カテゴリー情報と当該予算額情報に基づいて前記商品データベースを参照して前記変更したカテゴリー内で前記変更した予算額内の商品一覧情報をプレゼント情報として前記サーバのメモリに記憶する、
ことを含む請求項５記載のプレゼント贈答方法。
【請求項７】
前記第６ステップにおいて商品の選択入力を受け付けた場合、前記サーバにおいて選択入力された商品の金額の合計額を計算し、当該合計額と前記第２ステップで前記メモリに記憶した前記予算額を比較し、前記サーバにおいて前記予算額内で選択可能な商品を並べ替えて第２クライアント装置に対して商品一覧情報の通知を行うステップを含むことを特徴とする請求項５記載のプレゼント贈答方法。
【請求項８】
ネットワークを介してクライアント装置と通信するサーバのコンピュータにより実行可能なプレゼント贈答プログラムであって、
前記コンピュータに、
第１クライアント装置から当該第１クライアント装置の利用者の操作に応じてプレゼントを行う記念日の日付情報、第２クライアント装置の利用者を唯一に特定する利用者情報、プレゼントのカテゴリー情報、および、プレゼントの予算額情報の入力を前記サーバにおいて受け付ける第１ステップと、
前記第１ステップで受け付けた日付情報、利用者情報、カテゴリー情報、予算額情報、および、当該カテゴリー情報と当該予算額情報に基づいて、商品、当該商品の価格および当該商品のカテゴリーを記憶する商品データベースを参照して前記カテゴリー内で前記予算額内の商品一覧情報をプレゼント情報として前記サーバのメモリに記憶する第２ステップと、
前記第１ステップにおいて入力された前記日付情報より前の所定の予告日時に前記サーバから前記第１クライアント装置に対して前記記念日の到来予告と、前記第２ステップで前記メモリに記憶した前記プレゼント情報を通知する第３ステップと、
前記第３ステップによって通知したプレゼント情報に基づいて、前記第１のクライアント装置から当該第１クライアント装置の利用者の操作に応じて前記サーバにおいて前記プレゼント情報を受け付ける第４ステップと、
前記サーバから第２クライアント装置に対して前記第４ステップで受け付けたプレゼント情報に基づいて商品一覧情報の通知を行う第５ステップと、
前記第２クライアント装置から当該第２クライアント装置の利用者の操作に応じて前記第５ステップで通知した商品一覧情報に基づいて前記サーバにおいて１以上の商品の選択入力を受け付ける第６ステップと、
前記商品データベースを参照して前記第６ステップで受け付けた商品の金額の合計額を計算し、当該合計額と前記第２ステップで前記メモリに記憶した予算額情報の予算額とを比較して前記合計額が前記予算額を越えるかどうかの判断を行う第７ステップと、
前記第６ステップで受け付けた１以上の商品の発注処理を通知する第８ステップと、
を実行させることを特徴とするプレゼント贈答プログラム。
【請求項９】
前記第４ステップにおいて、前記第１のクライアント装置から当該第１クライアント装置の利用者の操作に応じて前記サーバにおいて前記カテゴリー情報および前記予算額情報の変更を受け付け、当該カテゴリー情報と当該予算額情報に基づいて前記商品データベースを参照して前記変更したカテゴリー内で前記変更した予算額内の商品一覧情報をプレゼント情報として前記サーバのメモリに記憶する、
ことを含む請求項８記載のプレゼント贈答プログラム。
【請求項１０】
前記第６ステップにおいて商品の選択入力を受け付けた場合、前記サーバにおいて選択入力された商品の金額の合計額を計算し、当該合計額と前記第２ステップで前記メモリに記憶した前記予算額を比較し、前記サーバにおいて前記予算額内で選択可能な商品を並べ替えて第２クライアント装置に対して商品一覧情報の通知を行うステップを含むことを特徴とする請求項８記載のプレゼント贈答プログラム。
【手続補正２】
【補正対象書類名】明細書
【補正対象項目名】００１１
【補正方法】変更
【補正の内容】
【００１１】
上記目的を達成するために、本発明のプレゼント贈答プレゼント贈答システムは、ネットワークを介してクライアント装置と通信するサーバにおけるプレゼント贈答システムであって、 商品、当該商品の価格および当該商品のカテゴリーを記憶する商品データベースと、第１クライアント装置から当該第１クライアント装置の利用者の操作に応じてプレゼントを行う記念日の日付情報、第２クライアント装置の利用者を唯一に特定する利用者情報、プレゼントのカテゴリー情報、および、プレゼントの予算額情報の入力を受け付ける第１受付手段と、 前記第１受付手段で受け付けた日付情報、利用者情報、カテゴリー情報、予算額情報、および、当該カテゴリー情報と当該予算額情報に基づいて前記商品データベースを参照して前記カテゴリー内で前記予算額内の商品一覧情報をプレゼント情報として記憶するメモリと、  入力された前記日付情報より前の所定の予告日時に前記第１クライアント装置に対して前記記念日の到来予告と、前記メモリに記憶した前記プレゼント情報を通知する予告手段と、前記予告手段によって通知したプレゼント情報に基づいて、前記第１のクライアント装置から当該第１クライアント装置の利用者の操作に応じて前記プレゼント情報を受け付ける第２受付手段と、第２クライアント装置に対して前記第２受付手段で受け付けたプレゼント情報に基づいて商品一覧情報の通知を行う通知手段と、前記第２クライアント装置から当該第２クライアント装置の利用者の操作に応じて前記通知手段で通知した商品一覧情報に基づいて１以上の商品の選択入力を受け付ける第３受付手段と、前記商品データベースを参照して前記第３受付手段で受け付けた商品の金額の合計額を計算し、当該合計額と前記メモリに記憶した予算額情報の予算額とを比較して前記合計額が前記予算額を越えるかどうかの判断を行う合計額判断手段と、前記第３受付手段で受け付けた１以上の商品の発注処理を通知する発注通知手段とを含むことを主要な特徴とする。
【手続補正３】
【補正対象書類名】明細書
【補正対象項目名】００１２
【補正方法】変更
【補正の内容】
【００１２】
請求項２の発明は、前記第２クライアント装置から当該第２クライアント装置の利用者の操作に応じて前記商品一覧以外の商品が選択された場合、当該商品の情報を前記第１クライアント装置に通知し、前記第１クライアント装置が前記第２クライアント装置が選択した商品の可否を決定する可否決定手段を有することを特徴とする。
【手続補正４】
【補正対象書類名】明細書
【補正対象項目名】００１３
【補正方法】変更
【補正の内容】
【００１３】
請求項３の発明は、前記第２受付手段が、前記第１クライアント装置から前記カテゴリー情報および前記予算額情報の変更を受け付け、前記メモリが、変更された前記カテゴリー情報および前記予算額情報を参照して当該変更カテゴリー内で当該変更予算額内の商品一覧情報をプレゼント情報として記憶することを特徴とする。
【手続補正５】
【補正対象書類名】明細書
【補正対象項目名】００１４
【補正方法】変更
【補正の内容】
【００１４】
請求項４の発明は、前記第３受付手段が商品の選択入力を受け付けた場合、前記判断手段が選択入力された商品の金額の合計額を計算し、当該合計額と前記メモリに記憶した予算額情報の前記予算額を比較し、前記通知手段が前記予算額内で選択可能な商品を並べ替えて第２クライアント装置に対して商品一覧情報の通知を行うことを特徴する。
【手続補正６】
【補正対象書類名】明細書
【補正対象項目名】００１５
【補正方法】変更
【補正の内容】
【００１５】
請求項５の発明は、ネットワークを介してクライアント装置と通信するサーバにおけるプレゼント贈答システム方法であって、第１クライアント装置から当該第１クライアント装置の利用者の操作に応じてプレゼントを行う記念日の日付情報、第２クライアント装置の利用者を唯一に特定する利用者情報、プレゼントのカテゴリー情報、および、プレゼントの予算額情報の入力を前記サーバにおいて受け付ける第１ステップと、前記第１ステップで受け付けた日付情報、利用者情報、カテゴリー情報、予算額情報、および、当該カテゴリー情報と当該予算額情報に基づいて、商品、当該商品の価格および当該商品のカテゴリーを記憶する商品データベースを参照して前記カテゴリー内で前記予算額内の商品一覧情報をプレゼント情報として前記サーバのメモリに記憶する第２ステップと、前記第１ステップにおいて入力された前記日付情報より前の所定の予告日時に前記サーバから前記第１クライアント装置に対して前記記念日の到来予告と、前記第２ステップで前記メモリに記憶した前記プレゼント情報を通知する第３ステップと、前記第３ステップによって通知したプレゼント情報に基づいて、前記第１のクライアント装置から当該第１クライアント装置の利用者の操作に応じて前記サーバにおいて前記プレゼント情報を受け付ける第４ステップと、前記サーバから第２クライアント装置に対して前記第４ステップで受け付けたプレゼント情報に基づいて商品一覧情報の通知を行う第５ステップと、前記第２クライアント装置から当該第２クライアント装置の利用者の操作に応じて前記第５ステップで通知した商品一覧情報に基づいて前記サーバにおいて１以上の商品の選択入力を受け付ける第６ステップと、前記商品データベースを参照して前記第６ステップで受け付けた商品の金額の合計額を計算し、当該合計額と前記第２ステップで前記メモリに記憶した予算額情報の予算額とを比較して前記合計額が前記予算額を越えるかどうかの判断を行う第７ステップと、前記第６ステップで受け付けた１以上の商品の発注処理を通知する第８ステップとを含むことを主要な特徴とする。
【手続補正７】
【補正対象書類名】明細書
【補正対象項目名】００１６
【補正方法】変更
【補正の内容】
【００１６】
請求項６の発明は、前記第４ステップにおいて、前記第１のクライアント装置から当該第１クライアント装置の利用者の操作に応じて前記サーバにおいて前記カテゴリー情報および前記予算額情報の変更を受け付け、当該カテゴリー情報と当該予算額情報に基づいて前記商品データベースを参照して前記変更したカテゴリー内で前記変更した予算額内の商品一覧情報をプレゼント情報として前記サーバのメモリに記憶することを含むことを特徴とする。
【手続補正８】
【補正対象書類名】明細書
【補正対象項目名】００１７
【補正方法】変更
【補正の内容】
【００１７】
請求項７の発明は、前記第６ステップにおいて商品の選択入力を受け付けた場合、前記サーバにおいて選択入力された商品の金額の合計額を計算し、当該合計額と前記第２ステップで前記メモリに記憶した前記予算額を比較し、前記サーバにおいて前記予算額内で選択可能な商品を並べ替えて第２クライアント装置に対して商品一覧情報の通知を行うステップを含むことを特徴とする。
【手続補正９】
【補正対象書類名】明細書
【補正対象項目名】００１８
【補正方法】変更
【補正の内容】
【００１８】
請求項８の発明は、ネットワークを介してクライアント装置と通信するサーバのコンピュータにより実行可能なプレゼント贈答プログラムであって、前記コンピュータに、第１クライアント装置から当該第１クライアント装置の利用者の操作に応じてプレゼントを行う記念日の日付情報、第２クライアント装置の利用者を唯一に特定する利用者情報、プレゼントのカテゴリー情報、および、プレゼントの予算額情報の入力を前記サーバにおいて受け付ける第１ステップと、前記第１ステップで受け付けた日付情報、利用者情報、カテゴリー情報、予算額情報、および、当該カテゴリー情報と当該予算額情報に基づいて、商品、当該商品の価格および当該商品のカテゴリーを記憶する商品データベースを参照して前記カテゴリー内で前記予算額内の商品一覧情報をプレゼント情報として前記サーバのメモリに記憶する第２ステップと、前記第１ステップにおいて入力された前記日付情報より前の所定の予告日時に前記サーバから前記第１クライアント装置に対して前記記念日の到来予告と、前記第２ステップで前記メモリに記憶した前記プレゼント情報を通知する第３ステップと、前記第３ステップによって通知したプレゼント情報に基づいて、前記第１のクライアント装置から当該第１クライアント装置の利用者の操作に応じて前記サーバにおいて前記プレゼント情報を受け付ける第４ステップと、前記サーバから第２クライアント装置に対して前記第４ステップで受け付けたプレゼント情報に基づいて商品一覧情報の通知を行う第５ステップと、前記第２クライアント装置から当該第２クライアント装置の利用者の操作に応じて前記第５ステップで通知した商品一覧情報に基づいて前記サーバにおいて１以上の商品の選択入力を受け付ける第６ステップと、前記商品データベースを参照して前記第６ステップで受け付けた商品の金額の合計額を計算し、当該合計額と前記第２ステップで前記メモリに記憶した予算額情報の予算額とを比較して前記合計額が前記予算額を越えるかどうかの判断を行う第７ステップと、前記第６ステップで受け付けた１以上の商品の発注処理を通知する第８ステップとを実行させることを主要な特徴とする。
【手続補正１０】
【補正対象書類名】明細書
【補正対象項目名】００１９
【補正方法】変更
【補正の内容】
【００１９】
請求項９の発明は、前記第４ステップにおいて、前記第１のクライアント装置から当該第１クライアント装置の利用者の操作に応じて前記サーバにおいて前記カテゴリー情報および前記予算額情報の変更を受け付け、当該カテゴリー情報と当該予算額情報に基づいて前記商品データベースを参照して前記変更したカテゴリー内で前記変更した予算額内の商品一覧情報をプレゼント情報として前記サーバのメモリに記憶することを含むことを特徴とする。
【手続補正１１】
【補正対象書類名】明細書
【補正対象項目名】００２０
【補正方法】変更
【補正の内容】
【００２０】
請求項１０の発明は、前記第６ステップにおいて商品の選択入力を受け付けた場合、前記サーバにおいて選択入力された商品の金額の合計額を計算し、当該合計額と前記第２ステップで前記メモリに記憶した前記予算額を比較し、前記サーバにおいて前記予算額内で選択可能な商品を並べ替えて第２クライアント装置に対して商品一覧情報の通知を行うステップを含むことを特徴とする。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００６９
【補正方法】変更
【補正の内容】
【００６９】
この時、登録の有るカテゴリーと予算内の商品の一覧もカテゴリー別に分類された商品ＤＢ１３３を参照して同時に作成して保存しておく。作成保存した記念日の到来予告のデータに従って今回の到来予告の利用者に対し、電子メールもしくは会員ＩＤなどでメッセージを送れる場合は会員ＩＤを使用したメッセージングサービスを用いて利用者に記念日の到来予告のメッセージと該当ＵＲＬ情報を通知する（ｓｂ４５、ｆａ２７）。
【手続補正１６】
【補正対象書類名】明細書
【補正対象項目名】００７２
【補正方法】変更
【補正の内容】
【００７２】
予算額もしくはカテゴリーに変更が有った場合は電子商取引サイト１５はサーバ装置１３に再度予算額に合致するカテゴリーの商品のリストアップを行う依頼を行い（ｓｃ６９）、サーバ装置１３はカテゴリーごとに分類された商品ＤＢ１３３からカテゴリーと予算額以下の商品をリストアップして、該リストアップしたデータにアクセス制限をかけ、ＵＲＬとそのＵＲＬアクセスするためのパスワードと贈る側が設定（ｓｂ４７）したメッセージをプレゼントを贈られる側の第２のクライアント装置に電子メールもしくは会員ＩＤなどで送れるメッセージングサービスを使用して通知する（ｓｂ４７、ｆｂ１１）。
【手続補正１７】
【補正対象書類名】図面
【補正対象項目名】図１４
【補正方法】変更
【補正の内容】
【図１４】
2005158028.tif 000020